(57)【要約】【課題】撮影装置用照明装置において、ＬＥＤ光源の発光量を変更する場合でも照明光の色温度を安定させることができるようにする。【解決手段】発光量が変更可能な撮影装置用照明装置であって、分光分布が異なる複数のＬＥＤを有するＬＥＤ光源部５Ａ〜５Ｆと、複数のＬＥＤに駆動電流を供給するＬＥＤドライバ１９Ａ〜１９Ｆと、発光量を変更する際に、照明光の色温度を一定に保つように複数のＬＥＤごとの駆動電流制御値を算出する駆動電流算出部２３と、ＬＥＤドライバ１９Ａ〜１９Ｆによって供給される駆動電流を、駆動電流算出部２３によって算出された駆動電流制御値に基づいて制御する発光制御部１７と、を備える。【選択図】図５
2015064456.tif 000002
【特許請求の範囲】
【請求項１】
発光量が変更可能な撮影装置用照明装置であって、
分光分布が異なる複数のＬＥＤを有するＬＥＤ光源部と、
前記複数のＬＥＤに駆動電流を供給するＬＥＤ駆動部と、
前記発光量を変更する際に、照明光の色温度を一定に保つように前記複数のＬＥＤごとの駆動電流制御値を算出する駆動電流算出部と、
前記ＬＥＤ駆動部によって供給される駆動電流を、前記駆動電流算出部によって算出された前記駆動電流制御値に基づいて制御する発光制御部と、
を備える、撮影装置用照明装置。
【請求項２】
色温度を入力する色温度入力部を備え、
前記駆動電流算出部は、
照明光の色温度を、前記色温度入力部に入力された色温度に保つように前記駆動電流制御値を算出する
ことを特徴とする、請求項１に記載の撮影装置用照明装置。
【請求項３】
前記駆動電流算出部は、
前記発光量および前記色温度に対応する前記駆動電流制御値のテーブルを備え、該テーブルを参照して前記駆動電流制御値を算出する
ことを特徴とする、請求項１または２に記載の撮影装置用照明装置。
【請求項４】
前記ＬＥＤ光源部の温度を検出する温度センサを備え、
前記駆動電流算出部は、
前記温度センサで検出された前記温度に基づいて、前記駆動電流制御値の補正を行う
ことを特徴とする、請求項１〜３のいずれか１項に記載の撮影装置用照明装置。
【請求項５】
放電により発光して前記照明光の一部を形成する放電光源部を備える
ことを特徴とする、請求項１〜４のいずれか１項に記載の撮影装置用照明装置。
【請求項６】
請求項１〜５のいずれか１項に記載の撮影装置用照明装置を備える、撮影装置。
【請求項７】
発光量が変更可能なＬＥＤ光源部を用いた撮影装置用照明光制御方法であって、
前記ＬＥＤ光源部は分光分布が異なる複数のＬＥＤを備え、
照明光の色温度および発光量を設定する発光条件設定工程と、
前記発光条件設定工程で設定された前記発光量に応じて、前記発光条件設定工程で設定された前記照明光の色温度が得られるように、前記複数のＬＥＤの駆動電流制御値を算出する駆動電流算出工程と、
前記駆動電流制御値に基づいて、前記ＬＥＤ光源部に供給される駆動電流を制御することにより前記ＬＥＤ光源部を発光させる発光制御工程と、
を備える、撮影装置用照明光制御方法。
【発明の詳細な説明】
【技術分野】
【０００１】
本発明は撮影装置用照明装置、撮影装置、および撮影装置用照明光制御方法に関する。
【背景技術】
【０００２】
従来、カメラなどの撮影装置の補助照明装置には、例えば、キセノン管などを用いたストロボ装置が用いられてきたが、近年では、動画撮影にも使用可能なＬＥＤを用いることが提案されている。
ＬＥＤは、ＬＥＤチップに供給する駆動電流に応じて発光量が変化するが、この発光量は温度の影響を受けやすいことが知られている。このため、例えば、特許文献１には、ＬＥＤ光源を用いた撮影発光装置において、ＬＥＤ光源の周辺温度を検出し、この周辺温度の検出結果に基づいて、ＬＥＤ光源が所定の明るさで発光するように、ＬＥＤ光源の駆動電流を制御することが記載されている。
【先行技術文献】
【特許文献】
【０００３】
【特許文献１】特開２００７−１６３８３７号公報
【発明の概要】
【発明が解決しようとする課題】
【０００４】
しかしながら、上記のような従来技術には、以下の問題があった。
特許文献１に記載の技術では、ＬＥＤ光源の周囲温度が変化した場合に、一定の明るさの照明光を形成することができるものの、照明光の色温度の変化を補正することはできない。発明者が実験したところでは、光出力が一定に制御されていても、ＬＥＤの分光分布は、温度変化に伴って中心周波数や分布形状が変化する。このため、照明光の色温度が変化してしまう。
また、フラッシュ撮影における発光量は、撮影シーンの自然光の量や露出設定などによって大きく変化する。このため、フラッシュ撮影に用いるＬＥＤの温度変化は、周囲温度の変化というよりも、このような発光量の変化によるＬＥＤの自己発熱量の違いによってもたらされる場合が多い。このため、例えば、発光量が少ない日中シンクロ撮影による色温度と、発光量が多い夜間フラッシュ撮影による色温度とが相違することになるという問題がある。
このように照明光の色温度が変化すると、撮影画像の色味が変わってしまうため、印象が異なる画像になってしまうという問題がある。
【０００５】
本発明は、上記のような問題に鑑みてなされたものであり、ＬＥＤ光源の発光量を変更する場合でも照明光の色温度を安定させることができる撮影装置用照明装置、撮影装置、および撮影装置用照明光制御方法を提供することを目的とする。
【課題を解決するための手段】
【０００６】
上記の課題を解決するために、本発明の第１の態様の撮影装置用照明装置は、発光量が変更可能な撮影装置用照明装置であって、分光分布が異なる複数のＬＥＤを有するＬＥＤ光源部と、前記複数のＬＥＤに駆動電流を供給するＬＥＤ駆動部と、前記発光量を変更する際に、照明光の色温度を一定に保つように前記複数のＬＥＤごとの駆動電流制御値を算出する駆動電流算出部と、前記ＬＥＤ駆動部によって供給される駆動電流を、前記駆動電流算出部によって算出された前記駆動電流制御値に基づいて制御する発光制御部と、を備える構成とする。
なお、本明細書では、「ＬＥＤ」は、Light Emitting Diodeの略称であり、発光ダイオードを意味する。
【０００７】
上記撮影装置用照明装置では、色温度を入力する色温度入力部を備え、前記駆動電流算出部は、照明光の色温度を、前記色温度入力部に入力された色温度に保つように前記駆動電流制御値を算出することが可能である。
【０００８】
上記撮影装置用照明装置では、前記駆動電流算出部は、前記発光量および前記色温度に対応する前記駆動電流制御値のテーブルを備え、該テーブルを参照して前記駆動電流制御値を算出することが可能である。
【０００９】
上記撮影装置用照明装置では、前記ＬＥＤ光源部の温度を検出する温度センサを備え、前記駆動電流算出部は、前記温度センサで検出された前記温度に基づいて、前記駆動電流制御値の補正を行うことが可能である。
【００１０】
上記撮影装置用照明装置では、放電により発光して前記照明光の一部を形成する放電光源部を備えることが可能である。
【００１１】
本発明の第２の態様の撮影装置は、上記撮影装置用照明装置を備える構成とする。
【００１２】
本発明の第３の態様の撮影装置用照明光制御方法は、発光量が変更可能なＬＥＤ光源部を用いた撮影装置用照明光制御方法であって、前記ＬＥＤ光源部は分光分布が異なる複数のＬＥＤを備え、照明光の色温度および発光量を設定する発光条件設定工程と、前記発光条件設定工程で設定された前記発光量に応じて、前記発光条件設定工程で設定された前記照明光の色温度が得られるように、前記複数のＬＥＤの駆動電流制御値を算出する駆動電流算出工程と、前記駆動電流制御値に基づいて、前記ＬＥＤ光源部に供給される駆動電流を制御することにより前記ＬＥＤ光源部を発光させる発光制御工程と、を備える方法とする。
【発明の効果】
【００１３】
本発明の撮影装置用照明装置、撮影装置、および撮影装置用照明光制御方法によれば、ＬＥＤ光源部が分光分布の異なる複数のＬＥＤを備え、ＬＥＤ光源部の発光量に応じて照明光の色温度が一定となるように算出された駆動電流制御値に基づいて、複数のＬＥＤの駆動電流が制御されるため、ＬＥＤ光源部の発光量を変更する場合でも照明光の色温度を安定させることができるという効果を奏する。
【図面の簡単な説明】
【００１４】
【図１】本発明の第１の実施形態の撮影装置の概略構成を示す模式的な斜視図、およびそのＡ視の正面図である。
【図２】図１におけるＣ視図である。
【図３】図１におけるＢ−Ｂ断面図である。
【図４】本発明の第１の実施形態の撮影装置用照明装置に用いるＬＥＤの配置構成の一例および他例を示す模式的な正面図である。
【図５】本発明の第１の実施形態の撮影装置の制御部の機能構成を示す機能ブロック図である。
【図６】赤色ＬＥＤの駆動電流を変化させたしたときの分光分布の変化を示すグラフ、およびその一部を拡大表示したグラフである。
【図７】緑色ＬＥＤの駆動電流を変化させたしたときの分光分布の変化を示すグラフ、およびその一部を拡大表示したグラフである。
【図８】青色ＬＥＤの駆動電流を変化させたしたときの分光分布の変化を示すグラフ、およびその一部を拡大表示したグラフである。
【図９】緑色ＬＥＤの駆動電流と色温度との関係を示すグラフである。
【図１０】本発明の第１の実施形態の撮影装置用照明装置における色温度３０００Ｋの照明光を形成するための発光量と、各ＬＥＤの駆動電流との関係を示すグラフである。
【図１１】本発明の第１の実施形態の撮影装置用照明装置における色温度５０００Ｋの照明光を形成するための発光量と、各ＬＥＤの駆動電流との関係を示すグラフである。
【図１２】本発明の第１の実施形態の撮影装置の撮影動作を説明するフローチャートである。
【図１３】本発明の第１の実施形態の撮影装置のＡＦ動作を説明するフローチャートである。
【図１４】本発明の第２の実施形態の撮影装置用照明装置および撮影装置の概略構成を示す模式的な斜視図である。
【図１５】図１４におけるＥ視図である。
【図１６】本発明の第２の実施形態の撮影装置用照明装置および撮影装置の制御部の機能構成を示す機能ブロック図である。
【発明を実施するための形態】
【００１５】
以下では、本発明の実施形態について添付図面を参照して説明する。すべての図面において、実施形態が異なる場合であっても、同一または相当する部材には同一の符号を付し、共通する説明は省略する。
【００１６】
［第１の実施形態］
本発明の第１の実施形態の撮影装置用照明装置および撮影装置について説明する。
図１（ａ）は、本発明の第１の実施形態の撮影装置の概略構成を示す模式的な斜視図である。図１（ｂ）は、図１（ａ）におけるＡ視の正面図である。図２は、図１（ａ）におけるＣ視図である。図３は、図１（ｂ）におけるＢ−Ｂ断面図である。図４（ａ）、（ｂ）は、本発明の第１の実施形態の撮影装置用照明装置に用いるＬＥＤの配置構成の一例および他例を示す模式的な正面図である。図５は、本発明の第１の実施形態の撮影装置の制御部の機能構成を示す機能ブロック図である。
【００１７】
図１（ａ）、（ｂ）、図２に示すように、本実施形態の撮影装置であるカメラ１は、種々の撮影シーンに応じて被写体の静止画像または動画像を撮像するコンパクトデジタルカメラである。
カメラ１は、被写体の像を取得する撮影光学系である撮影レンズ部３（撮影部）と、撮影レンズ部３が内蔵され撮影レンズ部３による被写体の像を図示略の撮像素子で撮像する本体部２（撮影装置本体）と、撮影に用いる照明光を形成する照明部として、放電光源部４、ＬＥＤ光源部５Ａ、５Ｂ、５Ｃ、５Ｄ、５Ｅ、５Ｆ（「５Ａ〜５Ｆ」と略記する場合がある）とを備える。
なお、以下の説明において、ＬＥＤ光源部５Ａ〜５Ｆを特に区別する必要がない場合には、単に「ＬＥＤ光源部５」と称する場合がある。
【００１８】
本体部２は、矩形状の前面部２Ｆと、前面部２Ｆの長辺の一方に隣接する上面部２Ｕと、上面部２Ｕを挟んで前面部２Ｆと対向する背面部２Ｂとを有する直方体状の筐体２ａに覆われている。
前面部２Ｆの略中心部には、図１（ａ）に示すように、撮影光軸Ｏ３が前面部２Ｆの法線方向に沿うように、撮影レンズ部３が設けられている。撮影レンズ部３は、複数のレンズまたはレンズ群から構成され、可動支持された少なくとも１つのレンズまたはレンズ群（以下、焦点位置調整レンズと称する）によって、焦点位置の調整が可能である。また、撮影レンズ部３は単焦点の撮影光学系でもよいし、ズーム光学系などの多焦点の撮影光学系でもよい。
上面部２Ｕを上方に向けたとき背面部２Ｂ側から見て右側の上面部２Ｕ上には、シャッターボタン６が配置されている。シャッターボタン６が半押しされると、後述するＡＥ制御部２１（図５参照）によってＡＥ（自動露出）動作の制御が行われ、後述する制御部１３によってＡＦ（自動焦点合わせ）動作の制御が行われる。シャッターボタン６が全押しされると、ＡＥ制御部２１で決定された露出に基づいて、シャッターリリースが行われる。
【００１９】
カメラ１を用いた標準的な撮影では、被写体に撮影レンズ部３を向けるとともに、上面部２Ｕが上向きとなるようにカメラ１を保持し、シャッターボタン６を下方に押下することによりシャッターリリースを行う。
以下の説明では、カメラ１の各部の相対位置の説明を簡略化するため、特に断らない限り、カメラ１がこのような標準的な撮影を行う際の姿勢に置かれているものとして、上（下）方向、上（下）側、上（下）端などの用語を用いる。
【００２０】
背面部２Ｂには、図２に示すように、撮像された画像や映像を表示したり、操作に必要なＧＵＩ（グラフィカルユーザーインタフェース）からなる操作画面や入力情報を表示したりする液晶モニタ７と、液晶モニタ７に表示される操作画面上でカーソル移動や決定などの操作入力を行う十字ボタン８ｂと、カメラ１の各種の動作モードの操作入力を行う複数の選択ボタン８ａや、静止画撮影モード、動画撮影モード、再生モード等を切り替えたりする操作ボタン８ｃとが設けられている。
選択ボタン８ａによって、操作入力を行う動作モードが選択されると、液晶モニタ７には、ツリー構造を有するＧＵＩ操作画面が表示され、十字ボタン８ｂを用いて、操作メニューの選択や操作入力、設定を行うことができるようになっている。
これら、選択ボタン８ａ、十字ボタン８ｂ、操作ボタン８ｃは、カメラ１の操作部８を構成している。
カメラ１の操作部８は、これら背面部２Ｂに設けられたボタン類には限定されず、適宜他の場所に設けられたボタン、レバー、ダイヤル、スイッチなどからなる操作部が含まれていてもよい。また、液晶モニタ７上にタッチパネルを備え、ＧＵＩと組み合わせたタッチパネル操作部を備えていてもよい。
【００２１】
放電光源部４は、カメラ１の前方に向かう放射状の照明光Ｌ４（第１の照明光）を形成するもので、上面部２Ｕを上側に向けたとき、前面部２Ｆにおいて向かって左側、かつ上面部２Ｕ寄りとなる位置において筐体２ａの内部に内蔵されている。
放電光源部４の構成は、放電作用により白色光を発光するものであれば、特に限定されず、カメラ用の内蔵ストロボに用いられる周知の構成はすべて採用することができる。
本実施形態では、放電光源部４は、前面部２Ｆと略整列して配置された透明材料からなる投光窓４ｂと、投光窓４ｂの裏面側の筐体２ａ内に配置され、背後が図示略の反射板で囲まれ、高圧放電によって照明光を放射するキセノン管４ａとを備える。
本実施形態に用いるキセノン管４ａの色温度は５４００Ｋである。
また、本実施形態では、放電光源部４は、その照射光軸Ｏ４が、撮影光軸Ｏ３と平行に延びるように配置されており、照射光軸Ｏ４と撮影光軸Ｏ３とは、上下方向および左右方向に離間されている。
【００２２】
ＬＥＤ光源部５Ａ〜５Ｆは、図１（ｂ）に示すように、前面部２Ｆにおいて、撮影光軸Ｏ３を中心とし撮影レンズ部３の外周側となる円周上に、互いに間をあけて配置されている。
本実施形態では、ＬＥＤ光源部５Ａ〜５Ｆは、円周を六等分するように図示時計回りにこの順で配置され、ＬＥＤ光源部５Ａが撮影光軸Ｏ３の真上、ＬＥＤ光源部５Ｄが撮影光軸Ｏ３の真下に位置している。このため、ＬＥＤ光源部５Ｂ、５Ｃと、ＬＥＤ光源部５Ｆ、５Ｅとは、ＬＥＤ光源部５Ａ、撮影光軸Ｏ３、ＬＥＤ光源部５Ｃを通る軸線を対称軸として左右対称に配置されている。また、ＬＥＤ光源部５ＡおよびＬＥＤ光源部５Ｃ、ＬＥＤ光源部５ＢおよびＬＥＤ光源部５Ｅ、ＬＥＤ光源部５ＣおよびＬＥＤ光源部５Ｆの各対は、いずれも、撮影光軸Ｏ３を挟んで等距離をあけて離間している。
各ＬＥＤ光源部５の構成は、互いに同様であるため、図３に示すＬＥＤ光源部５Ａの例で説明する。
ＬＥＤ光源部５Ａは、図３に示すように、筐体２ａの内部に、照明光Ｌ５Ａ（第２の照明光）を形成する発光素子部５ａと、発光素子部５ａを実装する回路基板９と、発光素子部５ａから出射される照明光Ｌ５Ａを反射するため発光素子部５ａの側方を囲んで発光素子部５ａの前方に延ばされた反射板５ｄと、照明光Ｌ５Ａを外部に投光するため発光素子部５ａに対向する部位において反射板５ｄの開口を覆う投光窓５ｃとを備える。
投光窓５ｃは、屈折力を有しない一定板厚の透過窓であってもよいが、例えば、フレネルレンズなどの屈折力を有する形状として、出射される照明光を適宜の範囲に集光あるいは発散できるようにしてもよい。
投光窓５ｃから出射される照明光Ｌ５Ａは、本実施形態では、撮影光軸Ｏ３に平行な照射光軸Ｏ５Ａを中心として、前面部２Ｆの前方に放射される。
特に図示しないが、同様にして、ＬＥＤ光源部５Ｂ、５Ｃ、５Ｄ、５Ｅ、５Ｆからは、照明光Ｌ５Ｂ、Ｌ５Ｃ、Ｌ５Ｄ、Ｌ５Ｅ、Ｌ５Ｆ（第２の照明光）が放射される。以下、これら照明光の発光元を特に区別しない場合には、単に「照明光Ｌ５」と称する場合がある。
【００２３】
発光素子部５ａは、図４（ａ）に示すように、回路基板９に赤色光を発光する赤色ＬＥＤ１０ｒ（ＬＥＤ）、緑色光を発光する緑色ＬＥＤ１０ｇ（ＬＥＤ）、青色光を発光する青色ＬＥＤ１０ｂ（ＬＥＤ）が、矩形状領域内に２次元格子状に配列された素子群からなり、照明光Ｌ５Ａは、これらの赤色ＬＥＤ１０ｒ、緑色ＬＥＤ１０ｇ、青色ＬＥＤ１０ｂからそれぞれ放射された光束を重ね合わせて構成される。赤色ＬＥＤ１０ｒ、緑色ＬＥＤ１０ｇ、青色ＬＥＤ１０ｂの出射光束の中心軸の向きは、いずれも回路基板９に直交する方向に揃えられている。
このため、発光素子部５ａは、赤色ＬＥＤ１０ｒ、緑色ＬＥＤ１０ｇ、青色ＬＥＤ１０ｂが配列された矩形状領域を発光領域とする擬似的な面発光光源になっている。
赤色ＬＥＤ１０ｒ、緑色ＬＥＤ１０ｇ、青色ＬＥＤ１０ｂのそれぞれの個数は、特に限定されず、それぞれ同数でもよいし、異なる個数でもよい。また、本実施形態では、互いに異なる種類同士が隣接するように配置しているが、同種のものが隣接するように配列してもよい。
赤色ＬＥＤ１０ｒ、緑色ＬＥＤ１０ｇ、青色ＬＥＤ１０ｂの発光量は、それぞれの発光量を独立に設定することが可能になっており、これらの発光量の組合せにより、種々の色温度に対応した種々の発光量の照明光Ｌ５Ａを形成することができる。
本実施形態では、一例として、照明光Ｌ５Ａの色温度を、例えば、色温度を２０００Ｋから１００００Ｋまで段階的に変更できるようになっている。
このように、発光素子部５ａは、照明光の色温度が変更可能な色温度可変光源になっている。
【００２４】
なお、本実施形態の発光素子部５ａに代えて、図４（ｂ）に示すような赤色ＬＥＤ１０ｒ、緑色ＬＥＤ１０ｇ、青色ＬＥＤ１０ｂがそれぞれ１個ずつ配置された発光素子部２５ａを採用することも可能である。
【００２５】
このような発光素子部５ａ、２５ａによれば、いずれもＬＥＤを用いるため、例えば、キセノン管を用いたストロボに比べると、簡素な構成となり、周辺回路構成も含めた部品点数を削減し、軽量化、小型化を図ることができる。
【００２６】
ここで、カメラ１の電装部の構成について説明する。
カメラ１の電装部は、図５に示すように、以上に説明したＬＥＤ光源部５Ａ〜５Ｆ等の電装部の他に、撮影レンズ部３で撮影された像を光電変換する撮像素子１１（撮影部）と、撮影レンズ部３の焦点位置合わせを行うために撮影レンズ部３の焦点位置調整レンズを移動させるモータなどからなるレンズ駆動部１２と、ＬＥＤ光源部５Ａ、５Ｂ、５Ｃ、５Ｄ、５Ｅ、５Ｆに駆動電流を供給してそれぞれ駆動するＬＥＤ駆動部であるＬＥＤドライバ１９Ａ、１９Ｂ、１９Ｃ、１９Ｄ、１９Ｅ、１９Ｆ（「１９Ａ〜１９Ｆ」と略記する場合がある）と、ＬＥＤドライバ１９Ａ〜１９ＦからＬＥＤ光源部５における各ＬＥＤに流れる電流値をモニタするＬＥＤ電流モニタ２２と、放電光源部４を発光させる発光回路２０と、制御部１３と、測光を行いプログラム線図に基づいて露出を決定するＡＥ制御部２１とを備える。なお、図示簡略化のため、図５では、ＬＥＤ光源部５Ｂ、５Ｃ、５Ｄ、５Ｅと、これらに対応するＬＥＤドライバ１９Ｂ、１９Ｃ、１９Ｄ、１９Ｅとは図示を省略している。
【００２７】
ＬＥＤドライバ１９Ａ〜１９Ｆは、それぞれの回路基板９に配置された赤色ＬＥＤ１０ｒ、緑色ＬＥＤ１０ｇ、青色ＬＥＤ１０ｂを個別または適宜のグループごとにスイッチングする回路、制御部１３からの制御信号に基づいて発光素子部５ａの各赤色ＬＥＤ１０ｒ、緑色ＬＥＤ１０ｇ、青色ＬＥＤ１０ｂへの供給電流を制御して、それらの発光量と発光時間とを制御する駆動回路などを備える。
ＬＥＤドライバ１９Ａ〜１９Ｆは、各赤色ＬＥＤ１０ｒ、緑色ＬＥＤ１０ｇ、青色ＬＥＤ１０ｂと、ＬＥＤ電流モニタ２２と、制御部１３とにそれぞれ電気的に接続されている。
これにより、ＬＥＤドライバ１９Ａ〜１９Ｆは、それぞれが接続されたＬＥＤ光源部５Ａ〜５Ｆの各発光素子部５ａを、それぞれ独立に、例えば、２０００Ｋから１００００Ｋまでの間で独立に変更することができる。このため、被写体の色、撮影シーンの色調、撮影意図に応じて、色温度を変更した照明光を照射することができる。
また、各発光素子部５ａは、「ストロボ発光」と「連続発光」とが可能である。
【００２８】
ここで、「ストロボ発光」とは、本体部２のシャッターが開放される間に行う短時間の発光を意味しており、連続的に発光するか、パルス状に発光するかは問わない。
これに対して、「連続発光」は、発光開始信号によって発光を開始し、発光終了信号を受信するまで連続して発光することを意味し、本実施形態では、動画撮影時の照明や、静止画撮影における後述のプリ発光に用いられる。
【００２９】
ＬＥＤ電流モニタ２２は、ＬＥＤドライバ１９Ａ〜１９Ｆから取得したＬＥＤ光源部５Ａ〜５Ｆの各ＬＥＤに流れる電流値を後述する制御部１３の発光制御部１７にフィードバックするものである。ＬＥＤ電流モニタ２２は、ＬＥＤドライバ１９Ａ〜１９Ｆおよび発光制御部１７と通信可能に接続されている。
【００３０】
制御部１３は、操作部８からの操作入力に応じてカメラ１の各部の動作条件を設定し、操作部８による操作またはシャッターボタン６の半押しまたは全押しの操作に応じて、ＡＦ動作、放電光源部４およびＬＥＤ光源部５Ａ〜５Ｆの発光制御、撮像動作等を含む撮影動作全般の制御を行うものである。
操作部８から設定可能な動作モードには、放電光源部４およびＬＥＤ光源部５Ａ〜５Ｆの発光モードが含まれる。
また、操作部８は、ＬＥＤ光源部５Ａ〜５Ｆによる照明光の色温度をマニュアルで設定することも可能である。このため、操作部８は色温度を入力する色温度入力部を構成している。
【００３１】
制御部１３の主要部の構成は、画像取得部１４、画像処理部１５、記憶部１８、ＡＦ制御部１６、駆動電流算出部２３、および発光制御部１７を備える。
なお、カメラ１において、放電光源部４、発光回路２０、ＬＥＤ光源部５Ａ〜５Ｆ、ＬＥＤドライバ１９Ａ〜１９Ｆ、駆動電流算出部２３、および発光制御部１７は、本実施形態の発光量が変更可能な撮影装置用照明装置を構成している。このため、カメラ１は、撮影装置に撮影装置用照明装置が内蔵された場合の例になっている。
【００３２】
画像取得部１４は、撮像素子１１で光電変換された画像データを取得するものである。
【００３３】
画像処理部１５は、画像取得部１４が取得した画像データに種々の画像処理や演算処理を行うものであり、画像取得部１４、ＡＦ制御部１６、記憶部１８、発光制御部１７、および液晶モニタ７とそれぞれ通信可能に接続されている。
画像処理部１５が行う画像処理としては、例えば、周知のゲイン補正、ホワイトバランス調整、ガンマ補正、ノイズ低減処理、輪郭補正、圧縮処理などの、画質を調整するための画像処理を挙げることができる。
ホワイトバランス調整は、周知のデジタルカメラと同様、ホワイトバランス制御のモード設定に基づいてホワイトバランスを調整する画像処理である。
例えば、ホワイトバランス制御の「オート」モードが設定されている場合、画像データの一部または全体から照明光の色温度を推定し、その色温度に応じて予め決められた補正を行う。
また、ユーザ設定により、ホワイトバランス制御のモードが、例えば、「曇天」モード、「晴天」モード、「蛍光灯」モード、「電球」モードなどの特定の照明光を想定した設定や、ユーザが照明光の色温度を設定する「マニュアル設定」モードによる設定がなされている場合には、それぞれが想定する照明光の色温度に応じて、予め決められたホワイトバランス調整の処理を行う。
画像処理済みの画像データは、液晶モニタ７に表示されるとともに、必要に応じて、記憶部１８に記憶される。
また、画像処理部１５が行う演算処理としては、画像データから、被写体情報を取得するための演算処理を挙げることができる。
【００３４】
被写体情報としては、画像データから取得可能な情報であれば特に限定されないが、本実施形態では、被写体の種類情報、および位置情報の取得が可能である。
画像処理部１５では、被写体の種類情報は、例えば、被写体における人物の有無の情報であり、画像データを顔検出処理することによって取得する。ただし、顔検出以外にも被写体の種類の応じた検出器を備えることにより、他の種類情報を取得することも可能である。
顔検出手段としては、例えば、目や鼻筋回りに現れる特徴的な明暗差を効率的に検出するＨａａｒ−ｌｉｋｅ検出器と、多段フィルタ（カスケード）処理とを組み合わせた周知の構成を採用することができる。
画像処理部１５が取得する被写体の位置情報としては、この顔検出によって検出された顔の撮影画面内の位置を挙げることができる。
これらの被写体情報は算出されると、記憶部１８に記憶される。
【００３５】
ＡＦ制御部１６は、シャッターボタン６の半押しによって開始されるＡＦ動作の制御を行うものである。すなわち、本実施形態では、レンズ駆動部１２を介して、撮影レンズ部３の焦点位置を無限遠に移動し、至近側に向けて焦点位置を移動させるとともに、各移動位置において、画像処理部１５から送出される画像データの画像コントラストを演算し、山登り法によって合焦位置を算出する。
本実施形態では、撮影範囲内に、複数のＡＦターゲットが設定され、ＡＦターゲット位置を中心として合焦演算領域が設定されている。そして、合焦演算領域ごとに画像コントラストを算出し、山登り法によって合焦位置を算出し、算出された合焦位置は、撮影距離の情報として、ＡＦターゲットの位置情報とともに、記憶部１８に記憶される。
撮影のための合焦位置は、例えば、最も至近側の合焦位置に合わせる。
【００３６】
駆動電流算出部２３は、ＬＥＤ光源部５Ａ〜５Ｆにおけるそれぞれの発光量と色温度とが設定されたときに、その発光量に応じて、照明光が設定された色温度となるように各ＬＥＤ光源部５Ａ〜５Ｆにおける各ＬＥＤの駆動電流制御値を算出するものである。
駆動電流算出部２３は、発光制御部１７と通信可能に接続されている。
発光量および色温度は、後述する撮影動作の中で発光制御部１７によって設定される。
【００３７】
駆動電流算出部２３による駆動電流制御値の算出方法の例としては、テーブル参照による算出方法や、発光量、色温度と駆動電流との関係を表す関数を用いる算出方法を挙げることができる。
本実施形態では、下記［表１］、［表２］に示すようなテーブルを用いて算出している。［表１］は色温度が３０００Ｋの場合のテーブル、［表２］は色温度が５０００Ｋの場合のテーブルであるが、駆動電流算出部２３には、これ以外にも常用される色温度について、同様のテーブルが保持されている。
このようなテーブルは、ＬＥＤの構成が異なるすべてのＬＥＤ光源部５に対して個別に用意されている。ここで、ＬＥＤの構成とは、異なるテーブルを用意する必要が生じるすべての構成上の相違を意味する。例えば、ＬＥＤの種類、個数が相違すれば、ＬＥＤの構成は相違する。ただし、ＬＥＤの種類および個数が一致していても、例えば、ＬＥＤの製造バラツキなどによる特性の違いが無視できない場合には、個々のＬＥＤ素子の違いが構成上の相違となるため、別々のテーブルを用意する。
【００３８】
【表１】
2015064456.tif 000003
【００３９】
【表２】
2015064456.tif 000004
【００４０】
［表１］、［表２］において、発光量は、各ＬＥＤ光源部５のＬＥＤ出力（ｌｍ）で表しているが、これは一例であり、例えば、ガイドナンバーやｃｄ（カンデラ）など、発光量が特定可能な他の量で規定することも可能である。
駆動電流制御値は、赤色ＬＥＤ１０ｒ、緑色ＬＥＤ１０ｇ、青色ＬＥＤ１０ｂの駆動電流（ｍＡ）が、［表１］、［表２］におけるＲ欄、Ｇ欄、Ｂ欄に示されている。ただし、これは一例であり、例えば、これらの駆動電流に代えて、これらの駆動電流に相当する駆動信号値を駆動電流制御値として記憶することが可能である。
なお、［表１］、［表２］に記載した色度座標は、参考のために示す実測値であり、実際のテーブルでは省略することができる。
設定された発光量および色温度が、テーブルに存在しない場合には、駆動電流算出部２３は、予め記憶された補間式、補正式等による演算を行って、駆動電流制御値を求める。
【００４１】
ここで、このようなテーブルの作製方法について説明する。
図６（ａ）は、赤色ＬＥＤの駆動電流を変化させたしたときの分光分布の変化を示すグラフである。図６（ｂ）は、図６（ａ）の一部の波長帯域の分布を拡大表示したグラフである。図７（ａ）は、緑色ＬＥＤの駆動電流を変化させたしたときの分光分布の変化を示すグラフである。図７（ｂ）は、図７（ａ）の一部の波長帯域の分布を拡大表示したグラフである。図８（ａ）は、青色ＬＥＤの駆動電流を変化させたしたときの分光分布の変化を示すグラフである。図８（ｂ）は、図８（ａ）の一部の波長帯域の分布を拡大表示したグラフである。図６（ａ）、（ｂ）、図７（ａ）、（ｂ）、図８（ａ）、（ｂ）において横軸は波長（ｎｍ）、縦軸はピーク強度を１とした相対感度を表す。図９は、緑色ＬＥＤの駆動電流と色温度との関係を示すグラフである。図９において、横軸は駆動電流（ｍＡ）、縦軸は色温度（Ｋ）を表す。図１０は、本発明の第１の実施形態の撮影装置用照明装置における色温度３０００Ｋの照明光を形成するための発光量と、各ＬＥＤの駆動電流との関係を示すグラフである。図１１は、本発明の第１の実施形態の撮影装置用照明装置における色温度５０００Ｋの照明光を形成するための発光量と、各ＬＥＤの駆動電流との関係を示すグラフである。図１０、１１において、横軸は発光量を表すＬＥＤ出力（ｌｍ）、縦軸はＬＥＤの駆動電流（ｍＡ）を表す。
【００４２】
ＬＥＤでは、駆動電流を増大するほど光出力が増大する。ただし、自己発熱の影響によって、光出力の増加率は駆動電流が大きくなるほど小さくなる。
このような駆動電流と光出力との関係は、ＬＥＤチップの種類により増加率が異なるが、略同様の変化を示す。そこで、赤色ＬＥＤ１０ｒ、緑色ＬＥＤ１０ｇ、青色ＬＥＤ１０ｂごとの特性を調べておくことにより、駆動電流と各ＬＥＤの光出力との対応をつけることができる。また、赤色ＬＥＤ１０ｒ、緑色ＬＥＤ１０ｇ、青色ＬＥＤ１０ｂの光出力の比を調整すれば、照明光の色温度を調整することができる。
しかし、本発明者が実験したところ、カメラ１の種々の照明モードのように、発光量を広い範囲で変化させる場合、個々のＬＥＤの分光分布特性の変化が無視できないことが分かった。つまり、適宜の基準発光量において、色温度が所定値に一致するように、各ＬＥＤの駆動電流を調整し、それぞれの光出力の比を固定して、全体の発光量を変化させると、照明光の色温度が変化した。
この原因を検討したところ、駆動電流を変化させると個々のＬＥＤの分光分布が変化し、かつその変化が赤色ＬＥＤ１０ｒ、緑色ＬＥＤ１０ｇ、および青色ＬＥＤ１０ｂの間で異なっているためであることが分かった。
【００４３】
図６（ａ）、（ｂ）に、赤色ＬＥＤ１０ｒの駆動電流を１０ｍＡ（曲線１０１参照）、１００ｍＡ（曲線１０２参照）、２００ｍＡ（曲線１０３参照）、３００ｍＡ（曲線１０４参照）に設定してそれぞれの分光分布を測定した結果を示す。
図６（ａ）、（ｂ）から分かるように、赤色ＬＥＤ１０ｒでは、駆動電流が増大すると、ピーク強度を与える波長（以下、ピーク波長と称する）が長波長側に移動するとともに、分布幅が広がっている。ピーク波長の移動量は、１０ｍＡ〜３００ｍＡで約１０ｎｍである。
【００４４】
図７（ａ）、（ｂ）に、緑色ＬＥＤ１０ｇの駆動電流を１０ｍＡ（曲線１１１参照）、１００ｍＡ（曲線１１２参照）、２００ｍＡ（曲線１１３参照）、３００ｍＡ（曲線１１４参照）に設定してそれぞれの分光分布を測定した結果を示す。
図７（ａ）、（ｂ）から分かるように、緑色ＬＥＤ１０ｇでは、駆動電流が増大すると、ピーク波長が短波長側に移動するとともに、分布幅が広がっている。ピーク波長の移動量は、１０ｍＡ〜３００ｍＡで約７ｎｍである。
【００４５】
図８（ａ）、（ｂ）に、青色ＬＥＤ１０ｂの駆動電流を１０ｍＡ（曲線１２１参照）、１００ｍＡ（曲線１２２参照）、２００ｍＡ（曲線１２３参照）に設定してそれぞれの分光分布を測定した結果を示す。
図８（ａ）、（ｂ）から分かるように、青色ＬＥＤ１０ｂでは、駆動電流が増大すると、ピーク波長はほとんど移動していないものの分布幅は広がっている。
【００４６】
図９には、緑色ＬＥＤ１０ｇの駆動電流を変えて、色温度計で色温度の変化を測定した結果を示す。
図９に曲線１３０で示すように、駆動電流を増加させると、色温度は、駆動電流が約１００ｍＡ程度までは約６９００Ｋから急峻に増大し、その後は駆動電流が増大するにつれて色温度の増加率が漸次低減した。そして、駆動電流が約３００ｍＡを越えると、約７７００Ｋで略一定の色温度になった。
赤色ＬＥＤ１０ｒ、青色ＬＥＤ１０ｂについての結果は図示しないが、図６（ａ）、図８（ａ）の分光分布の変化から分かるように、赤色ＬＥＤ１０ｒでは、駆動電流が増大するにつれて色温度が減少し、青色ＬＥＤ１０ｂでは、あまり色温度は変化しない。
【００４７】
［表１］、［表２］に示すような駆動電流制御値のテーブルを作製するには、例えば、ＬＥＤ光源部５の各赤色ＬＥＤ１０ｒ、緑色ＬＥＤ１０ｇ、青色ＬＥＤ１０ｂの光出力の比を調整して、これらからの光が混色した照明光の色温度を色温度計によって測定する。そして、色温度を、例えば、３０００Ｋなどの所定値に調整する。このときの照明光の光出力を撮像素子によって測定する。これにより、テーブルのうち、一組の色温度、発光量に対応する一組の駆動電流制御値の組合せが得られる。
次に、各ＬＥＤの光出力の比を変えずに、光出力の大きさを変化させる。このとき、各ＬＥＤの駆動電流の変更量は、ＬＥＤごとに、駆動電流に対する光出力の関係を表す校正曲線を予め作製しておくことにより容易に求められる。
光出力を変更したら、上記と同様に、色温度計で色温度を測定する。このとき、ＬＥＤの自己発熱の影響による分光分布の変化が生じるため、色温度は所定値からずれることになる。
そこで、各ＬＥＤの駆動電流を微調整して、色温度が所定値となるように調整する。このとき、分光分布の変化が大きいＬＥＤから調整していくと、迅速な調整が行える。例えば、色温度が増大した場合には、まず赤色ＬＥＤ１０ｒの駆動電流を上げるか、緑色ＬＥＤ１０ｇの駆動電流を下げるとよい。
色温度を所定値に調整できたら、照明光の光出力を撮像素子によって測定する。これにより、テーブルのうち、所定値の色温度で、発光量を変えた他の一組の駆動電流制御値の組合せが得られる。
このようにして、１つの色温度に対して、発光量を変化させた複数組の駆動電流制御値の組合せが得たら、色温度の所定値を変更して、上記と同様の測定を繰り返す。
【００４８】
このようにして、例えば、［表１］、［表２］に示すようなテーブルが得られる。
［表１］のテーブルは、例えば、図１０に示すグラフにまとめることができる。図１０において、曲線１４１、１４２、１４３は、それぞれ赤色ＬＥＤ１０ｒ、緑色ＬＥＤ１０ｇ、青色ＬＥＤ１０ｂの駆動電流の変化を表す。
曲線１４１、１４２、１４３は、それぞれ右肩上がりの曲線になり、駆動電流の大きさは、いずれのＬＥＤ出力でも、青色ＬＥＤ１０ｂ、緑色ＬＥＤ１０ｇ、赤色ＬＥＤ１０ｒの順に大きくなっている。
同様に［表２］のテーブルは、例えば、図１１に示すグラフにまとめることができる。図１１において、曲線１５１、１５２、１５３は、それぞれ赤色ＬＥＤ１０ｒ、緑色ＬＥＤ１０ｇ、青色ＬＥＤ１０ｂの駆動電流の変化を表す。
曲線１５１、１５２、１５３は、それぞれ右肩上がりの曲線になり、駆動電流の大きさは、いずれのＬＥＤ出力でも、青色ＬＥＤ１０ｂ、赤色ＬＥＤ１０ｒ、緑色ＬＥＤ１０ｇの順に大きくなっている。
［表１］（［表２］）の各データを曲線１４１、１４２、１４３（１５１、１５２、１５３）のような関数で表しておけば、色温度３０００Ｋ（５０００Ｋ）となる任意の発光量を実現する駆動電流値がただちに求まるため好都合である。
【００４９】
図５に示すように、発光制御部１７は、予め操作部８を介して選択された照明モード、発光モードに基づいて、放電光源部４および各ＬＥＤ光源部５の発光制御を行うものである。発光制御部１７は、ＬＥＤ光源部５Ａ〜５Ｆに対しては、ＬＥＤドライバ１９Ａ〜１９Ｆによって供給される駆動電流を、駆動電流算出部２３によって算出された駆動電流制御値に基づいて制御する。
発光制御部１７は、操作部８、記憶部１８、発光回路２０、ＬＥＤドライバ１９Ａ〜１９Ｆ、ＬＥＤ電流モニタ２２、駆動電流算出部２３、および画像処理部１５と通信可能に接続されている。
例えば、操作ボタン８ｃによって静止画撮影モードが選択された場合、周知の照明モードが選択可能である。
【００５０】
周知の照明モードとしては、メーカーによって名称が異なるが、例えば、露出不足となるときに自動発光する「オート発光」モード、赤目軽減のため本発光前に予備発光する「赤目軽減」モード、強制的に発光させる「強制発光」モード、予備発光後に強制発光させる「赤目・強制発光」モード、発光を禁止する「発光禁止」モード、低速のシャッター速度下で発光する「スローシンクロ」モード、撮影シーンが暗い場合にもＡＦ動作を行えるようにＡＦ動作中に連続発光するプリ発光を行う「ＡＦイルミネータ」モードなどを挙げることができる。
本実施形態では、照明部として、放電光源部４とＬＥＤ光源部５Ａ〜５Ｆとを備えているため、発光制御部１７によって、放電光源部４、ＬＥＤ光源部５Ａ〜５Ｆの発光の組合せ制御が行われる。
この組合せ制御は、記憶部１８に記憶された被写体情報に基づいて、発光制御部１７が予め設定された発光モードを選択することにより自動的に行われる。
予め設定された発光モードは、例えば、撮影距離検知発光モード、顔検出発光モードである。これら発光モードは、「オート発光」モードおよび「強制発光」モードと、「赤目・強制発光」モードにおける強制発光時とに有効である。ただし、いずれも照明モードであっても、マニュアル設定により、各発光モードを個別に無効化することが可能である。
【００５１】
撮影距離検知発光モードは、ＡＦ制御部１６によって決定された合焦位置に対応する撮影距離に応じて、放電光源部４と各ＬＥＤ光源部５との発光の組合せ制御を行う発光モードである。
本発光モードでは、撮影距離が短い至近領域の撮影では、放電光源部４の発光を禁止しＬＥＤ光源部５のみを発光させ、人物のスナップ撮影が行われることが多い撮影距離が近距離の領域の撮影では、放電光源部４とともに、放電光源部４の照明光における赤色成分の不足をおぎなうためにＬＥＤ光源部５を１以上必ず発光させる発光モードである。
【００５２】
至近領域の撮影では、短時間のうちに大光量を発光する放電光源部４を発光させると、放電光源部４の調光が間に合わなくなる。このため、被写体に照射される照明光が過剰となり、てかりや白飛び画像になってしまう。
このような失敗を避けるため、従来は至近領域のマクロ撮影ではストロボの発光を禁止している場合も見られる。この場合には、光量が不足して、シャッター速度が遅くなるため手ぶれを起こしやすくなる。
これに対して、ＬＥＤ光源部５は、放電光源部４に比べると発光時間を長くすることができるため、近い被写体でも調光が可能となり、適正な露出が得られる。また、撮影距離が近い場合には、光量が少なくて済むため、各ＬＥＤ光源部５のみでも光量は足りる。
本実施形態では、撮影距離が３０ｃｍ未満の場合には、放電光源部４の発光を禁止してＬＥＤ光源部５のみを発光させるようにしている。
このとき、各ＬＥＤ光源部５の色温度は、デフォルトの設定では、放電光源部４の色温度と同じ５４００Ｋに設定されている。このため、至近領域の撮影において放電光源部４を代用する照明光を形成することができる。
ただし、各ＬＥＤ光源部５は、色温度を変えることができるため、マニュアル操作によって適宜の色温度に設定することも可能である。この場合、放電光源部４の色温度の照明光が混じらないため、放電光源部４とともに発光させる場合に比べて、より広範囲に色温度を変更することが可能となる。
また、後述する顔検出発光モードが有効になっている場合には、それぞれの発光モードの色温度が設定される。
【００５３】
発光制御部１７によって設定された色温度の情報は、ＡＥ制御部２１によって決められる露出に対応して発光制御部１７が設定するＬＥＤ光源部５の発光量の情報とともに、駆動電流算出部２３に送出される。
色温度を操作部８からの入力により設定する場合には、発光制御部１７は、発光量のみを駆動電流算出部２３に送出する。
【００５４】
放電光源部４に用いたキセノン管４ａの波長特性は、赤色成分が相対的に落ち込んだ分布を示すため、自然昼光に比べると長波長側の赤色成分が不足している。このため、放電光源部４による照明は、温かみに欠ける「硬い」照明になっている。特に、肌色を美しく撮影することが好ましい人物撮影では、キセノン管４ａの照明光に、赤みを加えることが好ましい。
そこで本発光モードでは、人物のクロースアップなどが多くなる近距離の撮影では、放電光源部４に加えて、赤色成分を補うために必ずＬＥＤ光源部５を発光させる。近距離の範囲は、一例として、撮影距離３０ｃｍ以上２ｍ未満としている。
本発光モードでは、ホワイトバランス制御が「オート」モードの場合、各ＬＥＤ光源部５の赤色ＬＥＤ１０ｒの発光量を増やし、照明光全体として色温度が３５００Ｋになるように設定している。
【００５５】
顔検出発光モードは、撮影範囲内に人の顔が検出された場合に赤色ＬＥＤ１０ｒの発光量を増やして、照明光全体として色温度が低くなるように設定されたＬＥＤ光源部５を発光させる発光モードである。
本発光モードの場合、各ＬＥＤ光源部５の色温度は、ホワイトバランス制御により検出される照明光の色温度よりも、予め設定された値だけ低い色温度が設定される。
【００５６】
このような制御部１３の装置構成は、本実施形態では、ＣＰＵ、メモリ、入出力インターフェースなどを備えるコンピュータを採用している。
【００５７】
ＡＥ制御部２１は、図示略の測光センサ、シャッター、絞り、発光制御部１７、および操作部８と通信可能に接続されている。
ＡＥ制御部２１は、操作部８のうちシャッターボタン６が半押しされると動作を開始し、測光センサから１以上の測光ターゲットにおける測光値を取得し、プログラム線図に基づいて露出を決定する。
ＡＥ制御部２１によって、露出不足であることが判定されると、適正露出とするためのＬＥＤ光源部５の発光量が算出され、発光制御部１７に送出される。
また、本実施形態のカメラ１では、測光値が低すぎる場合には「ＡＦイルミネータ」モードを行うため、ＡＥ制御部２１は、発光制御部１７に制御信号を送出して、各ＬＥＤ光源部５を連続発光させるプリ発光動作を実行する。すなわち、ＡＥ制御部２１は、プリ発光下において露出を決定し、ＡＦ動作が完了するまでプリ発光を継続させる。
【００５８】
なお、ＡＥのための測光は、測光センサを用いる測光には限定されない。例えば、ＡＥ制御部２１に画像取得部１４が取得した画像データを転送し、ＡＥ制御部２１によって撮影範囲内の適宜の部位の光量を算出することによって、測光を行う構成としてもよい。
【００５９】
次に、カメラ１の動作について、各ＬＥＤ光源部５を発光させる場合の撮影例を中心として説明する。
図１２は、本発明の第１の実施形態の撮影装置の撮影動作を説明するフローチャートである。図１３は、本発明の第１の実施形態の撮影装置のＡＦ動作を説明するフローチャートである。
【００６０】
以下では、放電光源部４、各ＬＥＤ光源部５の照明モードは、「オート発光」モードの場合の例で説明する。本実施形態の「オート発光」モードのデフォルト設定では、撮影距離検知発光モード、および顔検出発光モードがすべて有効である。ただし、各ＬＥＤ光源部５の色温度がマニュアル設定された場合には、放電光源部４の発光を停止し、設定された色温度でＬＥＤ光源部５のみを発光させる。
また、本実施形態の「オート発光」モードでは、色温度がマニュアル設定された場合を除き、放電光源部４を発光させるかどうかは、撮影距離検知発光モードの設定に従う。また、各ＬＥＤ光源部５の色温度は、顔が検出された場合には、顔検出発光モードの設定に従う。
すなわち、以下の動作説明では、撮影シーンに人の顔が含まれる場合には自動的に顔部の発色が自然となる照明光が形成される設定になっている。
なお、人の顔を含む撮影において、色温度をマニュアル設定したい場合には、色温度を予めマニュアル設定した上で、撮影距離検出発光モードおよび顔検出発光モードを無効化し、「強制発光」モードまたは「赤目・強制発光」モードを用いれば可能になる。
【００６１】
カメラ１によって撮影を行うには、図１２に示すフローにしたがって、ステップＳ１〜Ｓ１５を実行する。
ステップＳ１では、撮影者がカメラ１を構えて被写体Ｓをフレーミングし、シャッターボタン６を半押しする。これにより、ＡＥ制御部２１によって測光が開始される。
【００６２】
次にステップＳ２では、ＡＥ制御部２１が、測光結果に基づいて、プリ発光を行う必要があるかどうかを判定する。
測光値が予め決められた許容値以下であるためプリ発光が必要と判定された場合に、ステップＳ３に移行する。
測光値が予め決められた許容値よりも大きいためプリ発光が不必要と判定された場合には、ステップＳ４に移行する。
ただし、「ＡＦイルミネータ」モードを禁止する設定がなされている場合に、本ステップおよびステップＳ３は省略される。
【００６３】
ステップＳ３では、ＡＥ制御部２１は、プリ発光を行う制御信号を発光制御部１７にっ送出する。
発光制御部１７では、ＡＥ制御部２１からのプリ発光を行う制御信号を受信すると、予め決められたプリ発光用の発光量の情報と色温度の情報とを、駆動電流算出部２３に送出する。
プリ発光の際の色温度は、照明光の色温度は、測光センサの測光感度に影響を与えないように、測光センサの波長感度に応じて予め決められた色温度で発光させる。例えば、５４００Ｋに設定する。駆動電流算出部２３に対するこの色温度の設定はプリ発光が終了すると解除される。
駆動電流算出部２３は、発光制御部１７から送出された発光量の情報と色温度の情報とに基づいて、ＬＥＤ光源部５Ａ〜５Ｆにそれぞれ内蔵されたＬＥＤの駆動電流制御値を算出する。本実施形態では、各ＬＥＤ光源部５Ａ〜５Ｆに対応して駆動電流算出部２３に内蔵される駆動電流制御値のテーブルを参照し、必要に応じて補間等の演算を行うなどして算出する。算出された駆動電流制御値は、発光制御部１７に送出される。
発光制御部１７は、ＬＥＤドライバ１９Ａ〜１９Ｆに対して、これらの駆動電流制御値に基づいて各ＬＥＤ光源部５を連続発光させる制御信号を送出する。
これにより、発光制御部１７によってＬＥＤ電流モニタ２２の検出値が駆動電流制御値に一致するように各駆動電流が制御されて、各ＬＥＤ光源部５が連続発光し、被写体が照明される。
以上でステップＳ３が終了する。
【００６４】
次にステップＳ４ではＡＦ動作を行う。
カメラ１は、コントラスト法によって合焦位置を求める。このとき、露出、ホワイトバランスは、適宜のデフォルト値に設定されている。本実施形態では、合焦位置を求めるための複数の測距領域であるＡＦエリアが、撮影範囲内に設定されている。
ＡＦ制御部１６は、各ＡＦエリアの画像データのコントラストを評価し、これを合焦評価値に用いる。
本ステップは、図１３に示すフローにしたがって、ステップＳ２１〜Ｓ２４を実行することで行われる。
【００６５】
ステップＳ２１は、焦点位置を無限遠に設定するステップである。
ＡＦ制御部１６は、レンズ駆動部１２に制御信号を送出し、撮影レンズ部３の焦点位置が無限遠となるように、レンズ駆動部１２によって撮影レンズ部３の焦点位置調整レンズを移動させる。
以上で、ステップＳ２１が終了する。
【００６６】
次に、ステップＳ２２を行う。本ステップは、至近位置に向けて焦点位置移動を開始するステップである。
すなわち、ＡＦ制御部１６は、レンズ駆動部１２に撮影レンズ部３の焦点位置を至近位置に向けた移動を開始させる制御信号を送出する。
焦点位置調整レンズの移動量は、例えば、レンズ駆動部１２のエンコーダ出力などによって測定され、ＡＦ制御部１６に送出される。ＡＦ制御部１６は、移動量を受け取ると、順次、焦点位置を撮影距離に換算する。
【００６７】
焦点位置調整レンズが移動を開始したら、ステップＳ２３を行う。本ステップは、コントラスト法により合焦位置を探索するステップである。
すなわち、ＡＦ制御部１６は、撮像素子１１で撮像された画像データを画像処理部１５から取得し、ＡＦエリアごとに、画像のコントラストを算出する。
このコントラストは、無限遠側から至近側に向かうにつれて、コントラストが低い状態から増大し、被写体の位置に対応するピーク値に到達した後、低下する、といった山形の変化を示す。
このとき、この画像データは液晶モニタ７にその都度表示される。
【００６８】
ＡＦ制御部１６は、ＡＦエリアごとに、コントラストの変化を調べて、ピークが検出されたら、ＡＦエリアの位置と、ピークの位置における撮影距離とを記憶部１８に記憶する。
すべてのＡＦエリアにおいて、コントラストのピークを越えたことが検出されるか、または、焦点位置調整レンズが至近側の移動限界まで移動したら、ＡＦ制御部１６は、レンズ駆動部１２に、動作を停止する制御信号を送出する。
以上で、ステップＳ２３が終了する。
【００６９】
次に、ステップＳ２４を行う。本ステップは、撮影用の合焦位置とこれに対応する合焦エリアを決定するステップである。
本実施形態では、取得されたＡＦエリアのコントラストのピークの位置を比較して、最も至近側のピークの位置を合焦位置、このピークの位置が検出されたＡＦエリアを合焦エリアとして決定する。これは、主要被写体は至近側に配置して撮影されることが多いためである。
ＡＦ制御部１６は、決定された合焦位置に焦点位置調整レンズが移動するように、レンズ駆動部１２に制御信号を送出する。これにより、撮影レンズ部３は、手先部Ｓｈに合焦する。
また、合焦位置から、撮影距離が決定され、記憶部１８に記憶される。
ただし、ステップＳ２３では、合焦エリア以外のＡＦエリアにおいても合焦する被写体がある場合には、そのＡＦエリアの位置と、そこに合焦させたときの撮影距離とが記憶されている。この情報は、被写体の位置情報として利用可能である。
以上で、ステップＳ２４が終了し、図１２に示すステップＳ４が終了する。
【００７０】
ステップＳ５は、ＡＥ制御部２１によって露出を決定するステップである。ＡＥ制御部２１は、測光値に基づいてプログラム線図を参照し、絞りと、シャッター速度を決定し、図示略の絞りを駆動するとともに、シャッターリリース機構にシャッター速度を設定する。
このように露出が決定したら、画像処理部１５は、ホワイトバランス調整を行う。
【００７１】
次に、ステップＳ６を行う。本ステップは顔検出を行うステップである。
顔検出は、焦点位置調整レンズが合焦位置に移動して合焦された状態の画像データを画像処理することで行われる。
画像処理部１５は、画像取得部１４から合焦後の画像データを取得すると、一定の大きさの顔検出窓を設定し、Ｈａａｒ−ｌｉｋｅ検出器と、多段フィルタ（カスケード）処理とを組み合わせた顔検出のアルゴリズムに基づいて、顔検出窓内で顔検出を行う。顔が検出されたら顔エリアの大きさと、中心位置とを算出し、記憶部１８に記憶する。１つの顔検出窓内で顔検出が終了すると、顔検出窓の位置を移動し、撮影範囲の全体にわたってこれを繰り返す。
さらに、顔検出窓の大きさを変えて、同様の処理を繰り返すことで、異なる大きさの顔を検出していく。
このようにして、画像処理部１５は顔が検出されると、発光制御部１７に顔が検出されたことが通知される。
以上で、ステップＳ６が終了する。
【００７２】
ステップＳ７は、色温度マニュアル設定モードかどうか判定するステップである。
発光制御部１７は、操作部８によって設定された発光モードを調べる。
色温度マニュアル設定モードでない場合は、ステップＳ８に移行する。
色温度マニュアル設定モードである場合は、ステップＳ１１に移行する。
【００７３】
ステップＳ８は、画像データ中に顔が検出されたかどうかを判定するステップである。
顔が検出された場合には、ステップＳ９に移行する。
顔が検出されなかった場合には、ステップＳ１０に移行する。
【００７４】
ステップＳ９は、各ＬＥＤ光源部５による照明光の色温度を、顔検出時の色温度に設定するステップである。
発光制御部１７は、顔検出発光モード用にホワイトバランス制御により検出される照明光の色温度よりも、予め設定された値だけ低い色温度を駆動電流算出部２３に設定する。
以上で、ステップＳ９が終了し、ステップＳ１２に移行する。
【００７５】
ステップＳ１０は、各ＬＥＤ光源部５による照明光の色温度を、顔非検出時の色温度に設定するステップである。
発光制御部１７は、ホワイトバランス制御により設定される色温度を駆動電流算出部２３に設定する。
以上で、ステップＳ１０が終了し、ステップＳ１２に移行する。
【００７６】
ステップＳ１１は、各ＬＥＤ光源部５による照明光の色温度を、マニュア設定の色温度に設定するステップである。
発光制御部１７は、操作部８から入力された色温度の情報に基づく色温度を駆動電流算出部２３に設定する。
以上で、ステップＳ１１が終了し、ステップＳ１２に移行する。
【００７７】
ステップＳ１２は、撮影シーンの被写体情報に基づいて、放電光源部４および各ＬＥＤ光源部５の発光パラメータを設定するステップである。
ここで、発光パラメータとは、放電光源部４および各ＬＥＤ光源部５を発光または発光禁止するために設定が必要となる数値や信号である。例えば、発光の有無を選択する信号、および発光量が含まれる。
これらの発光パラメータは、発光制御部１７が、発光モード、撮影距離、露出の情報に基づいて設定する。ＬＥＤ光源部５の発光量の情報は、発光制御部１７から駆動電流算出部２３に送出される。
【００７８】
例えば、ＡＦ動作によって決定された撮影距離に応じて、放電光源部４の発光の有無が設定される。本実施形態では、撮影距離が３０ｃｍ以上の場合に放電光源部４が発光し、撮影距離が３０ｃｍ未満では放電光源部４の発光が禁止される設定になっている。
各ＬＥＤ光源部５は、マニュアル設定によって発光を禁止されていない限りは発光が許可されている。
放電光源部４および各ＬＥＤ光源部５の発光量は、ＡＥにより決まる適正露出を実現するガイドナンバーに相当する発光量を、放電光源部４とＬＥＤ光源部５との間で分割した設定にする。この分割比は、発光モードごとに、照明光全体として適正な色温度が得られる分割比に設定する。例えば、顔が検出されない場合に放電光源部４の照明の硬さを低減するためには、放電光源部４の色温度を５４００Ｋ、ＬＥＤ光源部５の色温度を３５００Ｋとして、照明光Ｌ４の発光量と、照明光Ｌ５の発光量との比が、一例として、４：６となるように決めればよい。
放電光源部４が発光されない場合には、ＡＥにより決まる発光量はすべて各ＬＥＤ光源部５に割り当てられる。
以上で、ステップＳ１２が終了する。
【００７９】
次に、ステップＳ１３を行う。本ステップは、発光制御部１７で設定され、駆動電流算出部２３に送出された発光量および色温度に基づいて、各ＬＥＤ光源部５における各ＬＥＤの駆動電流制御値を算出するステップである。
駆動電流算出部２３は、本ステップまでに各ＬＥＤ光源部５に対して、発光制御部１７によって設定された発光量の情報と色温度の情報とに基づいて、ＬＥＤ光源部５Ａ〜５Ｆにそれぞれ内蔵されたＬＥＤの駆動電流制御値を算出する。本実施形態では、各ＬＥＤ光源部５Ａ〜５Ｆに対応して駆動電流算出部２３に内蔵される駆動電流制御値のテーブルを参照し、必要に応じて補間等の演算を行うなどして算出する。
算出された駆動電流制御値は、発光制御部１７に送出される。
以上でステップＳ１３が終了する。
【００８０】
次に、ステップＳ１４では、制御部１３は、シャッターボタン６が全押しされたかどうかを監視するループに入る。
シャッターボタン６が全押しされた場合には、監視ループを抜けてステップＳ１５に移行する。
【００８１】
次に、ステップＳ１５では、シャッターボタン６の全押しによって、シャッターリリースが開始されるとともに、発光制御部１７が、ステップＳ１２で設定された発光パラメータに対応する制御信号と、ステップＳ１３で算出された駆動電流制御値とを、発光回路２０、ＬＥＤドライバ１９Ａ〜１９Ｆに送出する。これにより、発光制御部１７によってＬＥＤ電流モニタ２２の検出値が駆動電流制御値に一致するように各駆動電流が制御されて、各ＬＥＤ光源部５がストロボ発光し、被写体が照明される。
このようにして、シャッターが開放している間に、発光パラメータおよび駆動電流制御値に基づいて放電光源部４および各ＬＥＤ光源部５がストロボ発光する。
これにより、被写体の画像が撮影される。
以上で、ステップＳ１５が終了する。
【００８２】
以上に説明したように、カメラ１では、ＬＥＤ光源部５を用いた撮影動作において、プリ発光時（ステップＳ３参照）および撮影時（ステップＳ７〜Ｓ１５参照）に、本実施形態の撮影装置用照明光制御方法の発光条件設定工程、駆動電流算出工程、および発光制御工程が行われている。
発光条件設定工程は、照明光の色温度および発光量を設定する工程である。
駆動電流算出工程は、発光条件設定工程で設定された発光量に応じて、発光条件設定工程で設定された照明光の色温度が得られるように、複数のＬＥＤの駆動電流制御値を算出する工程である。
発光制御工程は、駆動電流制御値に基づいて、ＬＥＤ光源部５に供給される駆動電流を制御することによりＬＥＤ光源部５を発光させる工程である。
【００８３】
このように、本実施形態では、色温度が高い放電光源部４の照明光Ｌ４に加えて色温度が低い各ＬＥＤ光源部５からの照明光Ｌ５が混合されることにより、照明光全体としては、色温度が照明光Ｌ４の色温度と照明光Ｌ５の色温度との中間の色温度になるため、照明光Ｌ４に不足する赤色成分が補われ、自然な印象の画像が撮影できる。また画像に温かみが加わる。
さらに、撮影シーンに顔が検出されると、各ＬＥＤ光源部５の色温度を、肌色の再現性に好適な色温度に設定するため、被写体が人物である場合により自然な画像を撮影することができる。
また、色温度マニュアル設定モードでは、作画意図に応じて、ＬＥＤ光源部５の色温度を変えることができるため、作画意図に忠実な画像を撮影することができる。
【００８４】
カメラ１による撮影では、撮影シーンや被写体に応じて、ＬＥＤ光源部５の発光量が種々変化する。また、撮影シーンが同一でも、作画意図に応じて絞りやシャッタースピードを変えた場合に、適正露出を得るためのＬＥＤ光源部５の発光量が変化する。
カメラ１によれば、ＬＥＤ光源部５が分光分布の異なる複数のＬＥＤを備え、ＬＥＤ光源部５の発光量に応じて照明光の色温度が一定となるように算出された駆動電流制御値に基づいて、複数のＬＥＤの駆動電流が制御される。このため、ＬＥＤ光源部５の発光量を変更する場合でも照明光の色温度を安定させることができる。
【００８５】
［第２の実施形態］
次に、本発明の第２の実施形態の撮影装置用照明装置および撮影装置について説明する。
図１４（ａ）、（ｂ）は、本発明の第２の実施形態の撮影装置用照明装置および撮影装置の概略構成を示す模式的な斜視図である。図１５は、図１４（ｂ）におけるＥ視図である。図１６は、本発明の第２の実施形態の撮影装置用照明装置および撮影装置の制御部の機能構成を示す機能ブロック図である。
【００８６】
図１４（ａ）に示すように、本実施形態のカメラ６０（撮影装置）は、上記第１の実施形態のカメラ１がコンパクトデジタルカメラであったのに対して、被写体の静止画像または動画像を撮像する１眼レフのデジタルカメラである点が異なる。
以下では、上記第１の実施形態と異なる点を中心に説明する。
【００８７】
カメラ６０は、被写体の像を取得する撮影光学系である撮影レンズ部６３（撮影部）と、撮影レンズ部６３が装着され撮影レンズ部６３による被写体の像を撮像素子１１（撮影部、図１６参照）で撮像するカメラ本体６１（撮像装置本体）と、カメラ本体６１に着脱可能に設けられたストロボユニット６２（撮影装置用照明装置）とを備える。
【００８８】
カメラ本体６１は、矩形状の前面部６１Ｆと、前面部６１Ｆの長辺の一方に隣接する上面部６１Ｕと、上面部６１Ｕを挟んで前面部２Ｆと対向する背面部６１Ｂとを有する略直方体状の筐体６１ａに覆われている。
前面部６１Ｆの略中心部には、撮影光軸Ｏ６３が前面部６１Ｆの前方に延びるように、撮影レンズ部６３が設けられている。撮影レンズ部６３は、複数のレンズまたはレンズ群から構成される交換レンズであり、可動支持された少なくとも１つのレンズまたはレンズ群（以下、焦点位置調整レンズと称する）によって、焦点位置の調整が可能である。
焦点位置調整レンズは、撮影レンズ部６３またはカメラ本体６１に内蔵されたモータなどからなるレンズ駆動部６４（図１６参照）によって、移動可能に保持されている。
【００８９】
上面部６１Ｕには、上記第１の実施形態と同様のシャッターボタン６と、上記第１の実施形態と同様の構成を有する放電光源部４を保持するため上面部６１Ｕの略中央でペンタプリズムを内蔵する突状部６１ｄに配置された内蔵ストロボ保持部６１ｂが設けられている。
【００９０】
内蔵ストロボ保持部６１ｂは、図１４（ａ）に示す起立状態と、図１４（ｂ）に示す格納状態とが切り替え可能となるように、図示略の回転支持部、付勢部材、およびロック機構を介して筐体６１ａに固定されている。
内蔵ストロボ保持部６１ｂは、起立状態では、放電光源部４の照射光軸Ｏ４が撮影光軸Ｏ６３と平行になる位置にロックされ、格納状態では、起立状態から前方に倒されて放電光源部４の投光窓４ｂが下方を向いて上面部６１Ｕに形成された凹部に嵌り込む位置にロックされる。
【００９１】
また、上面部６１Ｕにおいて、突状部６１ｄの背後には、ストロボユニット６２をカメラ本体６１内の図示略の制御手段と通信可能に接続するホットシュー６１ｃと、撮影モードなど設定するモードダイヤル６８ａとが設けられている。
背面部６１Ｂには、図１９に示すように、上記第１の実施形態と同様の液晶モニタ７、選択ボタン８ａ、十字ボタン８ｂ、および操作ボタン８ｃが設けられている。
これら、モードダイヤル６８ａ、選択ボタン８ａ、十字ボタン８ｂ、操作ボタン８ｃは、カメラ６０の操作部８を構成している。
【００９２】
ストロボユニット６２は、図１４（ｂ）に示すように、カメラ本体６１に装着したとき上面部６１Ｕの長手方向（左右方向）に沿って延びる直方体状の筐体６２ａと、カメラ本体６１に装着したとき前方を向く側面に配置されたＬＥＤ光源部６２Ｒ、６２Ｍ、６２Ｌ（「６２Ｒ〜６２Ｌ」と略記する場合がある）と、筐体６２ａの下面から突出された接続部６２ｂとを備える。
【００９３】
ＬＥＤ光源部６２Ｒ、６２Ｍ、６２Ｌは、いずれも上記第１の実施形態のＬＥＤ光源部５と同様な構成を有し、筐体６２ａの長手方向に沿って、この順に離間して配置されている。
ストロボユニット６２がカメラ本体６１に装着された際に、ＬＥＤ光源部６２Ｍの照射光軸Ｏ６２Ｍは、起立状態の内蔵ストロボ保持部６１ｂの上方において、撮影光軸Ｏ３の真上となる位置で撮影光軸Ｏ３と平行に延ばされている。照射光軸Ｏ６２Ｍ、撮影光軸Ｏ３、および起立状態の放電光源部４の照射光軸Ｏ４は、同一平面上に整列している。
また、ＬＥＤ光源部６２Ｒ、６２Ｌは、それぞれ前面部６１Ｆに対して向かって右側、左側となる位置に設けられ、それぞれの照射光軸Ｏ６２Ｒ、Ｏ６２Ｌは、照射光軸Ｏ６２Ｍから等距離かつ平行となるように位置している。
【００９４】
ここで、カメラ６０の電装部の構成について説明する。
カメラ６０のカメラ本体６１の電装部は、図１６に示すように、上述の撮像素子１１と、上記第１の実施形態と同様の発光回路２０と、制御部６５と、ＡＦセンサ６７と、測光を行いプログラム線図に基づいて露出を決定するＡＥ制御部７８とを備える。
カメラ６０のストロボユニット６２の電装部は、以上に説明したＬＥＤ光源部６２Ｒ〜６２Ｌ等の電装部の他に、ＬＥＤ光源部６２Ｒ、６２Ｍ、６２Ｌをそれぞれ駆動するＬＥＤドライバ６９Ｒ、６９Ｍ、６９Ｌ（「６９Ｒ〜６９Ｌ」と略記する場合がある）と、ＬＥＤ電流モニタ２２、駆動電流算出部２３と、発光制御部７１とを備える。
なお、図示簡略化のため、図１６では、ＬＥＤ光源部６２Ｍと、これに対応するＬＥＤドライバ６９Ｍとの図示は省略している。
【００９５】
撮像素子１１は、撮影レンズ部６３で撮影された像を光電変換するもので、上記第１の実施形態と同様の構成を有する。
【００９６】
制御部６５は、操作部８からの操作入力に応じてカメラ６０の各部の動作条件を設定し、操作部８またはシャッターボタン６の半押しまたは全押しの操作に応じて、ＡＦ動作、放電光源部４およびＬＥＤ光源部６２Ｒ〜６２Ｌの発光制御、撮像動作等を含む撮影動作全般の制御を行うものである。
操作部８から設定可能な動作モードには、放電光源部４およびＬＥＤ光源部６２Ｒ〜６２Ｌの発光モードが含まれる。
また、操作部８は、ＬＥＤ光源部６２Ｒ〜６２Ｌによる照明光の色温度をマニュアルで設定することも可能である。
制御部６５は、上記第１の実施形態の制御部１３のＡＦ制御部１６、発光制御部１７に代えて、ＡＦ制御部６６、本体制御部７０を備える。
【００９７】
ＡＦ制御部６６は、シャッターボタン６の半押しによって開始されるＡＦ動作の制御を行うものである。ただし、上記第１の実施形態のＡＦ制御部１６が画像コントラストを演算し、山登り法によって合焦位置を算出するのに対して、カメラ本体に内蔵され、複数のＡＦターゲットを構成する複数のＡＦセンサ６７を用いてＡＦ制御を行う点が異なる。
すなわち、ＡＦ制御部６６は、シャッターボタン６が半押しされると、各ＡＦセンサ６７の出力から、各ＡＦターゲットの合焦状態を判定し、この合焦状態の組合せに基づいて合焦位置を算出し、撮影レンズ部６３の焦点位置調整レンズの移動量を算出する。そして、この移動量に基づいてレンズ駆動部６４を駆動することで合焦を行う。
ＡＦセンサ６７としては、位相差検出を行うラインセンサやクロスセンサを採用することができる。
合焦位置は、撮影範囲におけるカメラ６０から被写体までの距離の情報を表しているため、上記第１の実施形態と同様に、被写体の位置情報を被写体情報として取得することができる。
【００９８】
本体制御部７０は、上記第１の実施形態の発光制御部１７と略同様にして、予め操作部８を介して選択された照明モード、発光モードに基づいて、放電光源部４およびストロボユニット６２のＬＥＤ光源部６２Ｒ〜６２Ｌの発光制御を行うものである。
ただし、本体制御部７０は、ストロボユニット６２に対しては、発光量および色温度の情報のみをストロボユニット６２に送出する点が、発光制御部１７と異なる。このため、本体制御部７０は、各ＬＥＤの駆動電流制御値の算出や設定は行わない。
本体制御部７０における発光量および色温度の情報の設定は、上記第１の実施形態の発光制御部１７と同様にして行われる。
本体制御部７０は、操作部８、記憶部１８、発光回路２０、ストロボユニット６２の発光制御部７１、および画像処理部１５と通信可能に接続されている。
【００９９】
このような制御部６５の装置構成は、本実施形態では、ＣＰＵ、メモリ、入出力インターフェースなどを備えるコンピュータを採用している。
【０１００】
ＬＥＤドライバ６９Ｒ〜６９Ｌは、それぞれ、上記第１の実施形態のＬＥＤドライバ１９Ａ等とまったく同様の構成を有し、ストロボユニット６２の筐体６２ａに内蔵されている。
【０１０１】
ＬＥＤ電流モニタ２２は、ＬＥＤドライバ６９Ｒ〜６９Ｌを介してそれぞれの駆動電流をモニタする点を除いて、上記第１の実施形態のＬＥＤ電流モニタ２２と同様のものである。本実施形態のＬＥＤ電流モニタ２２は、ストロボユニット６２内において、ＬＥＤドライバ６９Ｒ〜６９Ｌおよび後述の発光制御部７１と通信可能に接続されている。
駆動電流算出部２３は、後述する発光制御部７１から送出される発光量と色温度とに基づいて、ＬＥＤ光源部６２Ｒ〜６２Ｌの駆動電流制御値を算出する以外は、上記第１の実施形態の駆動電流算出部２３と同様のものである。本実施形態の駆動電流算出部２３は、ストロボユニット６２内において、後述の発光制御部７１と通信可能に接続されている。
【０１０２】
発光制御部７１は、上記第１の実施形態の発光制御部１７と略同様にして、予め操作部８を介して選択された照明モード、発光モードに基づいて、ストロボユニット６２のＬＥＤ光源部６２Ｒ〜６２Ｌの発光制御を行うものである。
ただし、発光制御部７１は、カメラ本体６１の本体制御部７０が設定して本体制御部から送出された発光量および色温度の情報を受けることによって、駆動電流算出部２３に発光量および色温度を設定する点が、上記第１の実施形態の発光制御部１７と異なる。
発光制御部７１におけるＬＥＤ光源部６２Ｒ〜６２Ｌの発光制御は、駆動電流算出部２３によって算出された駆動電流制御値に基づいて、上記第１の実施形態の発光制御部１７と同様にして行われる。
発光制御部７１は、本体制御部７０、駆動電流算出部２３、ＬＥＤドライバ６９Ｒ〜６９Ｌ、およびＬＥＤ電流モニタ２２と通信可能に接続されている。
【０１０３】
発光制御部７１、駆動電流算出部２３の装置構成は、専用のハードウェアを用いてもよいし、ＣＰＵ、メモリ、入出力インターフェースなどを備えるコンピュータを用いてもよい。
【０１０４】
このような構成により、本体制御部７０と発光制御部７１とは、上記第１の実施形態の発光制御部１７の機能がそれぞれに分割されたものになっている。
【０１０５】
このように、カメラ６０は、カメラ本体６１にストロボユニット６２を装着することにより、上記第１の実施形態と同様の発光素子部５ａを備えるＬＥＤ光源部６２Ｒ〜６２Ｌと、上記第１の実施形態と同様の放電光源部４と、上記第１の実施形態と同様の発光制御部１７に相当する機能を有する本体制御部７０および発光制御部７１と、被写体情報を取得するＡＦ制御部６６、ＡＦセンサ６７、および上記第１の実施形態と同様の画像処理部１５を備えている。
このため、１眼レフである点、ＬＥＤ光源部の個数と配置位置とが異なり着脱可能である点、およびＡＦ方式が異なる点を除くと、上記第１の実施形態と同様な撮影装置になっている。
したがって、例えば、上記と同様にして、撮影距離検知発光モード、顔検出発光モード、および色温度マニュアル設定モードを有効にして、色温度を変更した照明を用いた撮影が可能である。
【０１０６】
これにより、本実施形態のカメラ６０によれば、上記第１の実施形態のカメラ１と同様に、撮影用の照明光による画像の不自然さを容易に低減することができる。
また、ＬＥＤ光源部６２Ｒ〜６２Ｌを発光させることにより、被写体の周囲に不自然な影画像を低減して、照明光が「硬い」印象になるのを抑制できるため、より自然な画像を撮影することができる。
また、カメラ６０によれば、ＬＥＤ光源部６２Ｒ〜６２Ｌが分光分布の異なる複数のＬＥＤを備え、ＬＥＤ光源部６２Ｒ〜６２Ｌの発光量に応じて照明光の色温度が一定となるように算出された駆動電流制御値に基づいて、複数のＬＥＤの駆動電流が制御される。このため、ＬＥＤ光源部６２Ｒ〜６２Ｌの発光量を変更する場合でも照明光の色温度を安定させることができる。
【０１０７】
なお、上記の各実施形態の説明では、撮影装置のＬＥＤ光源部が６個、３個の場合の例で説明したが、ＬＥＤ光源部は、これ以外の複数個でもよいし、１個でもよい。
【０１０８】
また、上記第２の実施形態では、カメラ本体６１に放電光源部４が、着脱可能なストロボユニット６２にＬＥＤ光源部６２Ｒ〜６２Ｌが設けられた場合の例で説明したが、放電光源部４をストロボユニット６２に移動した構成として、カメラ本体６１に照明部を設けない構成としてもよい。また、ストロボユニット６２に放電光源部４と別の放電光源部を設け、カメラ６０が放電光源部を複数有する構成としてもよい。
【０１０９】
また、上記各実施形態の説明では、ＬＥＤ光源部の他に、放電光源部４を有する撮影装置の場合の例で説明したが、放電光源部４は削除した構成も可能である。すなわち、本発明の撮影装置用照明装置は、放電光源部を有したり、放電光源部を有する装置と組み合わせたりすることは必須ではなく、放電光源部を有しない撮影装置と組み合わせることが可能である。
【０１１０】
また、上記の各実施形態の説明では、撮影装置がコンパクトデジタルカメラまたは１眼レフデジタルカメラの場合の例で説明したが、撮影装置としては、被写体を撮影する装置であれば、特に限定されず、例えば、ミラーレス一眼カメラでもよいし、ビデオカメラでもよい。さらに、撮影装置は、撮像素子で画像を撮像する装置には限定されず、アナログカメラなどであってもよい。
【０１１１】
また、上記の各実施形態の説明では、撮影装置用照明装置がストロボ発光する場合や、連続発光する場合でもプリ発光のように、低出力で短時間発光する場合の例で説明したが、連続発光により長時間発光することも可能である。
特にこのような場合には、装置構成や使用環境によっては、自己発熱の影響が大きくなってＬＥＤの分光分布の変化がより大きくなる可能性がある。
このような場合、ＬＥＤの近傍に温度センサを配置し、温度センサによる温度検知を行う構成とし、駆動電流算出部では、温度上昇による各ＬＥＤの駆動電流、分光分布、および発光量の特性変化を補正することが可能である。
例えば、駆動電流制御値のテーブルを作製する際に、温度変化による特性変化を測定しておき、駆動電流制御値のテーブルや関数を、基準温度からの温度変化量をパラメータとして補正できるようにしておく。
【０１１２】
また、上記の各実施形態の説明では、ＬＥＤ光源部のＬＥＤが、赤色ＬＥＤ１０ｒ、緑色ＬＥＤ１０ｇ、青色ＬＥＤ１０ｂの組み合わせからなる場合の例で説明したが、ＬＥＤ光源部は、分光分布の異なる複数のものを組み合わせていればよい。このため、ＬＥＤは赤色、緑色、青色の組み合わせには限定されない。例えば、分光分布が異なる２種類のＬＥＤで構成してもよいし、４種類以上のＬＥＤで構成してもよい。
また、例えば、青色ＬＥＤと厚さの異なる蛍光材料とを組み合わせて、色温度を変化させた複数の白色ＬＥＤの組み合わせを採用することも可能である。
【０１１３】
また、上記に説明したすべての構成要素は、本発明の技術的思想の範囲で適宜組み合わせたり、削除したりして実施することができる。
【符号の説明】
【０１１４】
１、６０  カメラ（撮影装置）
４  放電光源部（撮影装置用照明装置）
５、５Ａ、５Ｂ、５Ｃ、５Ｄ、５Ｅ、５Ｆ、６２Ｒ、６２Ｍ、６２Ｌ  ＬＥＤ光源部（撮影装置用照明装置）
５ａ、２５ａ  発光素子部
８  操作部（色温度入力部）
１０ｂ  青色ＬＥＤ（ＬＥＤ）
１０ｇ  緑色ＬＥＤ（ＬＥＤ）
１０ｒ  赤色ＬＥＤ（ＬＥＤ）
１３、６５  制御部
１５  画像処理部
１６、６６  ＡＦ制御部
１７、７１  発光制御部（撮影装置用照明装置）
１９Ａ、１９Ｂ、１９Ｃ、１９Ｄ、１９Ｅ、１９Ｆ、１９Ｒ、１９Ｍ、１９Ｌ  ＬＥＤドライバ（ＬＥＤ駆動部、撮影装置用照明装置））
２０  発光回路（撮影装置用照明装置）
２１  ＡＥ制御部
２３  駆動電流算出部（撮影装置用照明装置）
６１  カメラ本体（撮影装置本体）
６１ｃ  ホットシュー
６２  ストロボユニット（撮影装置用照明装置）
６２ｂ  接続部
７０  本体制御部
Ｌ４  照明光（第１の照明光）
Ｌ５、Ｌ５Ｒ、Ｌ５Ｌ  照明光（第２の照明光）
Ｏ３、Ｏ６３  撮影光軸
Ｏ４、Ｏ５Ｒ、Ｏ５Ｌ、Ｏ６２Ｍ、Ｏ６２Ｒ、Ｏ６２Ｌ  照射光軸
【図１】
2015064456.tif 000005
【図２】
2015064456.tif 000006
【図３】
2015064456.tif 000007
【図４】
2015064456.tif 000008
【図５】
2015064456.tif 000009
【図６】
2015064456.tif 000010
【図７】
2015064456.tif 000011
【図８】
2015064456.tif 000012
【図９】
2015064456.tif 000013
【図１０】
2015064456.tif 000014
【図１１】
2015064456.tif 000015
【図１２】
2015064456.tif 000016
【図１３】
2015064456.tif 000017
【図１４】
2015064456.tif 000018
【図１５】
2015064456.tif 000019
【図１６】
2015064456.tif 000020